(57)【特許請求の範囲】
【請求項１】
複数の内管を有する管体に着脱可能に固定される継手であって、
複数の前記内管の内部にそれぞれ挿入される複数の支持部を有する継手本体と、
前記継手本体の周面から張出し、前記管体の口部に当接して前記管体を位置決めする突出部と、
前記突出部から延設され、前記管体の外周面と接触する外管と、
前記管体の軸方向に移動可能に設けられ、固定可能な移動部材と、
前記突出部の軸方向の一方側の面と前記移動部材の間に設けられ、内部に流体が封入された伸縮性の第１袋状部と、
前記突出部の軸方向の一方側の面と反対側における複数の前記支持部の外周部に設けられ、前記管体が挿入されると共に、内部に流体が封入されて前記第１袋状部と連通する複数の伸縮性の第２袋状部と、
を有すると共に、
前記第２袋状部は、環状体からなり、複数の前記第２袋状部が前記突出部を貫通した連結管を通じて複数の前記第１袋状部に連通されていることを特徴とする継手。
【請求項２】
前記移動部材が、前記継手本体の周面のネジ部に螺合されるナットであることを特徴とする請求項１に記載の継手。
【発明の詳細な説明】
【技術分野】
【０００１】
本発明は、複数の内管が設けられた管体を簡単な操作で装着及び離脱（着脱）することができる継手に関するものである。
【背景技術】
【０００２】
従来、継手を構成する金具をホースに固定する際には、金具に形成された金属製のパイプにホースを挿入し、加締機を用いてパイプをホースに加締めることによって固定している。また、ホースと継手とのシールには、継手の内側に配設されたＯリングなどを使用している（例えば特許文献１を参照）。
【０００３】
しかし、このような金具では、金具をホースに固定するための専用の加締機が必要となると共に、固定する作業に手間がかかる。また、ホースに金具を一旦加締めてしまうと、その後、金具をホースから取り外して再使用することができない。さらに、Ｏリングは、へたりや扁平状の変形によって流体漏れが発生しやすいが、金具をホースに加締めているため修理することができない。
【０００４】
また、ホースの内部に、２以上の流体を流動させる複数の内管が設けられている場合に、このホースを１つの金具に固定することができない。従来から、２以上の流体を用いる場合は、２以上の流体を流動させるホースをそれぞれ別々の金具に固定する必要があった。
【特許文献１】特開平８−１０３８３７号公報
【発明の開示】
【発明が解決しようとする課題】
【０００５】
本発明は、上記課題を解決するためになされたものであり、複数の内管が設けられたホースなどの管体を簡単な操作で装着及び離脱（着脱）することができる継手を提供することを目的とする。
【課題を解決するための手段】
【０００６】
上記課題を解決するために、請求項１に記載の発明に係る継手は、複数の内管を有する管体に着脱可能に固定される継手であって、複数の前記内管の内部にそれぞれ挿入される複数の支持部を有する継手本体と、前記継手本体の周面から張出し、前記管体の口部に当接して前記管体を位置決めする突出部と、前記突出部から延設され、前記管体の外周面と接触する外管と、前記管体の軸方向に移動可能に設けられ、固定可能な移動部材と、前記突出部の軸方向の一方側の面と前記移動部材の間に設けられ、内部に流体が封入された伸縮性の第１袋状部と、前記突出部の軸方向の一方側の面と反対側における複数の前記支持部の外周部に設けられ、前記管体が挿入されると共に、内部に流体が封入されて前記第１袋状部と連通する複数の伸縮性の第２袋状部と、を有すると共に、前記第２袋状部は、環状体からなり、複数の前記第２袋状部が前記突出部を貫通した連結管を通じて複数の前記第１袋状部に連通されていることを特徴としている。
【０００７】
請求項１に記載の発明によれば、管体の複数の内管に継手本体の複数の支持部がそれぞれ挿入され、管体の口部が突出部に当接することによって管体が位置決めされる。突出部の軸方向の一方側の面と管体の軸方向に移動する移動部材との間に、内部に流体が封入された伸縮性の第１袋状部が設けられており、移動部材を突出部の方向に移動させると、第１袋状部が押し潰される。突出部の軸方向の一方側の面と反対側における複数の支持部の外周部には、第１袋状部と連通する複数の伸縮性の第２袋状部が設けられており、第２袋状部の外側に管体が挿入される。第１袋状部が押し潰されると、第１袋状部内の流体が第２袋状部に移動し、第２袋状部が膨張する。これにより、複数の第２袋状部が複数の内管の壁部をそれぞれ押圧し、管体が継手本体に保持される。
【０００８】
また、管体を継手本体から離脱する際には、移動部材を突出部と離間する方向に移動させる。これにより、第２袋状部の内圧が下がり（内管の壁部への第２袋状部の押圧力が開放され）、管体を継手本体から引き抜くことが可能となる。したがって、簡単な操作によって管体を継手本体に着脱することができる。
【００１０】
また、複数の支持部と複数の内管との間にそれぞれ環状体からなる第２袋状部が配置されており、複数の第１袋状部内の流体が連結管を通じて複数の環状体に移動し、環状体が膨張する。このため、複数の内管の壁部の周方向全体が環状体によって押圧され、内管の保持が確実となると共に、環状体によって内管と支持部とがシールされる。
【００１１】
請求項２に記載の発明は、請求項１に記載の継手において、前記移動部材が、前記継手本体の周面のネジ部に螺合されるナットであることを特徴としている。
【００１２】
請求項２に記載の発明によれば、継手本体の周面のネジ部に螺合されたナットを突出部の方向に締めることで、第１袋状部が押し潰され、複数の第２袋状部が膨張して複数の内管の壁部を押圧することにより、管体が保持される。また、管体を離脱する際には、ナットを回して元の位置に戻し、管体を継手本体から引き抜く。このため、継手の着脱操作が容易となる。
【発明の効果】
【００１３】
本発明に係る継手は、上記のように構成したので、複数の内管が設けられたホースなどの管体に継手を簡単な操作により着脱することができる。
【発明を実施するための最良の形態】
【００１４】
以下、本発明の継手の実施の形態を図面に基づいて説明する。
【００１５】
図１は、本発明の継手１０の第１実施形態を示す半裁断面図である。図２は、継手１０をホース４０に固定した状態を示す半裁断面図である。また、図３は、継手１０に着脱可能に固定されるホース４０を示す斜視図である。
【００１６】
図３に示しように、ホース４０は、円筒体の中央部に仕切部４２を備えており、仕切部４２の両側に異なる種類の流体が流れる２つの内管４４Ａ、４４Ｂを備えた２流体タイプである。
【００１７】
図１に示すように、継手１０は、ホース４０の内管４４Ａ、４４Ｂにそれぞれ挿入される２つの円筒状の支持部１２Ａ、１２Ｂが形成された継手本体１２を備えている。この継手本体１２には、周面から径方向に張出した突出部１４が設けられており、ホース４０の口部４０Ａを突出部１４に当接させてホース４０を位置決めするように構成されている。
【００１８】
継手本体１２の周面には、突出部１４の一方（ホース４０が装着される位置と反対側）に雄ネジ１５が形成されており、雄ネジ１５にナット１６が螺合され、継手本体１２の軸方向に移動可能となっている。
【００１９】
突出部１４の外径側には、ホース４０の外周面と接触するように外管３０が延設されている。
【００２０】
継手本体１２の周面には、突出部１４とナット１６との間に伸縮性の第１袋状部１８が配置されている。また、突出部１４のナット１６と反対側であって支持部１２Ａとホース４０の内管４４Ａとの間に環状体からなる伸縮性の第２袋状部２０が配置されている。第２袋状部２０の一部は、支持部１２Ａの周面に固着された保持部２６に接着されている。第１袋状部１８と第２袋状部２０とは、伸縮性の連結管２２によって連通されている。この連結管２２は、突出部１４の根元に形成された開孔１４Ａに貫通されている。
【００２１】
また、支持部１２Ｂの周面とホース４０の内管４４Ｂとの間にも環状体からなる伸縮性の第２袋状部２０が配置されており、この第２袋状部２０が突出部１４とナット１６との間に設けられた他の第１袋状部（図示省略）に連結管２２によって連通されている。
【００２２】
すなわち、継手１０には、支持部１２Ａ、１２Ｂにそれぞれ巻かれた環状体からなる２つの第２袋状部２０と、２つの第２袋状部２０にそれぞれ連結管２２を介して連通される２つの第１袋状部１８（１つは図示省略）が設けられている。
【００２３】
第１袋状部１８と第２袋状部２０には、内部に粘性を有する流体２４が封入されており、流体２４が第１袋状部１８と第２袋状部２０との間を、連結管２２を通じて移動可能となっている。そして、第１袋状部１８から流体２４が第２袋状部２０に移動して第２袋状部２０が膨張したとき、内管４４Ａ又は内管４４Ｂの内壁を押圧してホース４０を保持するように構成されている。
【００２４】
第１袋状部１８と第２袋状部２０と連結管２２の伸縮部分の材料としては、ゴムなどの弾性材料が用いられ、例えば、ＳＢＲ、ＮＢＲ、ＥＰＤＭ、シリコーンゴム、フッ素ゴム、ＩＩＲ（ブチルゴム）、天然ゴムなどが用いられている。また、流体２４としては、液体や粘度の高い流体などが使用可能である。例えば、流体２４として、シリコーンオイル、鉱物系作動油、グリスなどが用いられる。また、継手１０は、ステンレスなどの金属製であるが、必ずしも金属に限るものではなく、例えばプラスチック製でも良い。なお、ホース４０としては、ゴム製、樹脂製などが用いられる。
【００２５】
また、ナット１６の外周面には、２つの第１袋状部１８を外側から覆うように折り曲げられた保護部１６Ａが形成されている。また、支持部１２Ａ、１２Ｂの第２袋状部２０側の先端には、第２袋状部２０の端部より外側で径方向に張出した突起部３２Ａ、３２Ｂが形成されている。
【００２６】
図５に示すように、第１袋状部１８は長形球状体からなり、周面に小径の円筒状の雄ネジ部１８Ａが突設されている。この雄ネジ部１８Ａは、例えばプラスチックで形成されている。また、連結管２２の内周面の一端部には、雄ネジ部１８Ａが締結される雌ネジ部２２Ａが設けられている。また、第２袋状部２０は環状体からなり、側面に小径の円筒状の雄ネジ部２０Ａが突設され、連結管２２の内周面の他端部に形成された雌ネジ部（図示省略）に締結されるようになっている。
【００２７】
そして、図６に示すように、図示しない浴槽内に満たされた流体２４中で第２袋状部２０の雄ネジ部２０Ａを連結管２２の雌ネジ部に締結し、第１袋状部１８の雄ネジ部１８Ａを連結管２２の雌ネジ部２２Ａに締結する。これにより、第１袋状部１８と連結管２２と第２袋状部２０とが一体化されるとともに、これらの内部に流体２４が充填される。このような第１袋状部１８と連結管２２と第２袋状部２０とを一体化したものが継手１０に２セット配設されている。
【００２８】
次に、継手１０の作用について説明する。
【００２９】
図１及び図２に示すように、ホース４０を継手１０に装着する際には、外管３０にホース４０の外周面を接触させ、継手本体１２の支持部１２Ａと支持部１２Ｂの外側に、ホース４０の内管４４Ａ、４４Ｂを挿入する。そして、ナット１６を突出部１４の方向（矢印Ａ方向）に締め付けることで、２つの第１袋状部１８を押し潰す。これにより、図２に示すように、２つの第１袋状部１８（１つは図示省略）内の流体２４がそれぞれ連結管２２を通って第２袋状部２０に移動し、２つの第２袋状部２０が膨張する。そして、２つの第２袋状部２０がそれぞれ内管４４Ａ、４４Ｂの壁部を押圧することにより、ホース４０が継手本体１２に保持される。第２袋状部２０は環状体であるため、内管４４Ａ、４４Ｂの内壁にしっかりと密着し、ホース４０と継手本体１２とをシールすることができる。
【００３０】
一方、ホース４０を継手１０から離脱する際には、ナット１６を突出部１４から離れる方向に回して元に戻す。このとき、第２袋状部２０の内圧が下がって内管４４Ａ、４４Ｂの壁部への第２袋状部２０の押圧力が開放され、ホース４０を継手本体１２から抜くことができる。
【００３１】
このような継手１０は、２種類の流体を流す内管４４Ａ、４４Ｂを備えたホース４０に簡単な操作で着脱することができる。また、継手１０をホース４０に固定するための専用の加締機が不要となり、作業の手間も軽減される。また、継手１０をホース４０から取り外して再使用することができる。さらに、２つの第２袋状部２０で支持部１２Ａ、１２Ｂとホース４０とをシールするので、Ｏリングを使用した場合のへたりや扁平状の変形による流体漏れの発生を低減することができる。また、継手１０の保持力が低下しても第２袋状部２０及び第１袋状部１８を交換すればよいので修理も容易となる。
【００３２】
なお、上記実施形態では、第１袋状部と第２袋状部は、上記形状に限定するものではなく、第１袋状部から流体が移動して第２袋状部でホースを保持できるものであれば、適宜に設定可能である。
【００３３】
なお、ホース４０は２つの内管４４Ａ、４４Ｂを有する２流体タイプであったが、この構成に限定するものではない。３以上の流体が流れる複数の内管を有するタイプのホースであっても本発明を適用可能である。
【図面の簡単な説明】
【００３４】
【図１】本発明の第１実施形態の継手を示す半裁断面図である。
【図２】図１に示す継手をホースに装着した状態を示す半裁断面図である。
【図３】継手に用いられるホースを示す概略斜視図である。
【図４】（Ａ）は図１に示す継手をホースに装着する前の状態、（Ｂ）は図１に示す継手をホースに装着した状態を示す断面図である。
【図５】図１に示す継手に用いられる第１袋状部、連結管、及び第２袋状部を示す分解斜視図である。
【図６】図１に示す継手に用いられる第１袋状部、連結管、及び第２袋状部の結合時の斜視図である。
【符号の説明】
【００３５】
１０   継手
１２   継手本体
１２Ａ 支持部
１２Ｂ 支持部
１４Ａ 開孔
１４   突出部
１４Ａ 開孔
１５   雄ネジ
１６   ナット（移動部材）
１６Ａ 保護部
１８   第１袋状部
１８Ａ 雄ネジ部
２０   第２袋状部
２０Ａ 雄ネジ部
２２   連結管
２２Ａ 雌ネジ部
２４   流体
２６   保持部
３０   外管
３２Ａ 突起部
４０   ホース（管体）
４２   仕切部
４４Ａ 内管
４４Ｂ 内管
【図１】
0004774292.tif 000002
【図２】
0004774292.tif 000003
【図３】
0004774292.tif 000004
【図４】
0004774292.tif 000005
【図５】
0004774292.tif 000006
【図６】
0004774292.tif 000007